(57)【要約】閉鎖システム（２）は、容器に固定される首要素（３）と、保持カラー（７）を有する首部（４）とを具備している。首部（４）に固定される閉鎖キャップ（１４）は、閉鎖壁（１５）及び固定裾部（１６）を含み、不正開封防止リング（１９）は、複数の脆弱要素（２２）によって固定裾部（１６）に接続される。不正開封防止リング（１９）は、保持カラー（７）に引っ掛けられる少なくとも１つの可撓性保持要素（２３）を有する。閉鎖キャップがねじ込まれると、少なくとも１つの可撓性保持要素（２３）が少なくとも部分的に支持されるのに適する環状引っ掛けハウジング（１１）の境界を保持カラー（７）が定める。保持カラー（７）は、閉鎖キャップ（１４）が開封後最初に弛められるときに、少なくとも固定裾部（１６）と不正開封防止リング（１９）との間に延びる。
2018538209.tif 000002
【特許請求の範囲】
【請求項１】
容器の閉鎖システムにおいて、
可撓性の保持カラー（７）を有する首部（４）を含み、上記容器に固定される首要素（３）と、
閉鎖壁（１５）及び固定裾部（１６）を含み、上記首部（４）にねじ込まれる閉鎖キャップ（１４）と、
複数の脆弱要素（２２）によって上記固定裾部（１６）に接続され、少なくとも１つの可撓性保持要素（２３）を有する不正開封防止リング（１９）とを備え、
上記首部（４）及び上記不正開封防止リング（１９）は、上記閉鎖キャップ（１４）が首部（４）上に固定されているとき、少なくとも上記脆弱要素（２２）が破損する手前まで、上記保持カラー（７）は環状引っ掛けハウジング（１１）の境界を定めるように構成され、
上記少なくとも１つの可撓性保持要素（２３）は、少なくとも部分的に支持されて上記環状引っ掛けハウジング（１１）に引っ掛けられるように構成され、
上記保持カラー（７）は、上記脆弱要素（２２）が破損した後、上記首部（４）上の上記閉鎖キャップ（１４）の最初の弛め動作の間、上記固定裾部（１６）と上記不正開封防止リング（１９）との間まで少なくとも部分的に延びるように構成されている
ことを特徴とする容器の閉鎖システム。
【請求項２】
請求項１に記載の容器の閉鎖システムにおいて、
上記保持カラー（７）は、
該保持カラー（７）が上記首部（４）の拡張軸（Ａ）に対して実質的に放射状に延びる初期位置と、
該保持カラー（７）が曲がって上記環状引っ掛けハウジング（１１）の境界を定める保持位置との間で変形可能である
ことを特徴とする容器の閉鎖システム。
【請求項３】
請求項２に記載の容器の閉鎖システムにおいて、
上記不正開封防止リング（１９）は、少なくとも上記脆弱要素（２２）が破損する手前まで、その保持位置の上記保持カラー（７）を変形させて保持するように構成されている
ことを特徴とする容器の閉鎖システム。
【請求項４】
請求項１から３のいずれか１つに記載の容器の閉鎖システムにおいて、
上記不正開封防止リング（１９）は、上記保持カラー（７）の周辺まで延びるように構成されている
ことを特徴とする容器の閉鎖システム。
【請求項５】
請求項１から４のいずれか１つに記載の容器の閉鎖システムにおいて、
上記保持カラー（７）の外縁エッジ（１２）は、上記閉鎖キャップ（１４）が上記首部（４）上に固定されているとき、少なくとも上記脆弱要素（２２）の破損の手前まで、上記環状引っ掛けハウジング（１１）において現れる挿入開口（１３）の境界を定め、
上記少なくとも１つの可撓性保持要素（２３）は、上記挿入開口（１３）を通って延びるように構成されている
ことを特徴とする容器の閉鎖システム。
【請求項６】
請求項１から５のいずれか１つに記載の容器の閉鎖システムにおいて、
上記不正開封防止リング（１９）は、上記脆弱要素（２２）によって上記固定裾部（１６）に接続される環状部分（２１）を有し、
上記保持カラー（７）は、上記環状部分（２１）の内径よりも大きい外径を有する
ことを特徴とする容器の閉鎖システム。
【請求項７】
請求項１から６のいずれか１つに記載の容器の閉鎖システムにおいて、
上記閉鎖キャップ（１４）が首部（４）上に固定されているとき、少なくとも上記脆弱要素（２２）の破損の手前まで、上記保持カラー（７）が上記不正開封防止リング（１９）に対して半径方向の力を加えるように構成されている
ことを特徴とする容器の閉鎖システム。
【請求項８】
請求項１から７のいずれか１つに記載の容器の閉鎖システムにおいて、
上記不正開封防止リング（１９）は、上記固定裾部（１６）に向かって延びる少なくとも１つの第１の駆動要素（２４）を備え、
上記閉鎖キャップ（１４）は、上記不正開封防止リング（１９）に向かって延びる少なくとも１つの第２の駆動要素（２５）を備え、
上記少なくとも１つの第２の駆動要素（２５）は、上記固定裾部（１６）から間隔をあけて配置される上記不正開封防止リング（１９）を取り外すため、及び、上記脆弱要素（２２）が破損した後に上記首部（４）上の上記閉鎖キャップ（１４）の最初の弛め動作を行う間、上記固定裾部（１６）と上記不正開封防止リング（１９）との間に少なくとも１つの開口チェックスペース（２８）を形成するために、上記少なくとも１つの第１の駆動要素（２４）と協同するように構成されている
ことを特徴とする容器の閉鎖システム。
【請求項９】
請求項８に記載の容器の閉鎖システムにおいて、
上記少なくとも１つの第１の駆動要素（２４）は、第１のカム面（２６）を有し、
上記少なくとも１つの第２の駆動要素（２５）は、上記脆弱要素（２２）の破損の後の上記首部（４）上の上記閉鎖キャップ（１４）の最初の弛め動作の間、上記固定裾部（１６）から間隔をあけて配置される上記不正開封防止リング（１９）に付勢するために上記第１のカム面（２６）と協同するように構成される第２のカム面（２７）を有する
ことを特徴とする容器の閉鎖システム。
【請求項１０】
請求項１から９のいずれか１つに記載の容器の閉鎖システムにおいて、
上記首部（４）は、上記少なくとも１つの可撓性保持要素（２３）が上記閉鎖キャップ（１４）の最初の弛め動作の間、当接するように構成される環状停止要素（２９）を含む
ことを特徴とする容器の閉鎖システム。
【請求項１１】
請求項１０に記載の容器の閉鎖システムにおいて、
上記環状停止要素（２９）は、上記環状引っ掛けハウジング（１１）に達するように構成されている
ことを特徴とする容器の閉鎖システム。
【発明の詳細な説明】
【技術分野】
【０００１】
本発明は、容器の閉鎖システムに関する。
【背景技術】
【０００２】
この種の閉鎖システムは、公知の、
停止面に設けられる保持カラーを含む首部を有し、容器に固定される首要素と、
閉鎖壁及び固定裾部を含み、上記首部上にねじ込まれて固定される閉鎖キャップと、
上記閉鎖キャップの弛め作業の間に上記保持カラーの停止面に対して境を接するように構成された複数の可撓性保持要素を有する複数の脆弱要素を含み、これら複数の脆弱要素によって固定裾部に接続される不正開封防止リングとを備えている。
【０００３】
保持カラー及び保持要素のこの種の構成は、上記閉鎖キャップの弛め作業の間、不正開封防止リングを不動にし、このことで、固定裾部と不正開封防止リングとを接続している脆弱要素の破損を引き起こすことを許容する。脆弱要素のこの種の破損は、上述した閉鎖システムを備えている容器の、いかなる不正開封の簡単なチェックも確実にする。
【発明の概要】
【発明が解決しようとする課題】
【０００４】
しかしながら、まれなケースであるが、保持要素の柔軟性から見て、これらは、弾性的に変形することができ、閉鎖キャップの弛め作業の間、保持カラーを回避することができる。そのような場合、閉鎖システムを備えると共に、消費者によって摂取される内容物が注入される容器内に、不正開封防止リングが重力によって落下するおそれがある。
【０００５】
本発明の目的とするところは、この欠点を解決することにある。
【課題を解決するための手段】
【０００６】
したがって、本発明の基礎をなす技術的課題は、単純で経済的な構造を備えた閉鎖システムを有する容器を提供すると共に、信頼性が高い不正開封防止リングによる首部に対する保持を確実にすることにある。
【０００７】
この目的のために、本発明は、容器の閉鎖システムに関し、
この閉鎖システムは、
容器に固定され、可撓性の保持カラーを含む首部を有する首要素と、
閉鎖壁及び固定裾部を含み、首部上にねじ込まれる閉鎖キャップと、
少なくとも１つの可撓性保持要素を有し、例えば保持カラーと協同するように構成され、複数の脆弱要素によって固定裾部に接続される不正開封防止リングとを備え、
首部及び不正開封防止リングは、閉鎖キャップが首部上に固定されているとき、少なくとも脆弱要素の破損の手前まで、保持カラーが環状の引っ掛けハウジングの境界を定めるように構成され、少なくとも１つの可撓性保持要素は、少なくとも部分的に支持され、環状の引っ掛けハウジングに引っ掛けられるように構成され、
保持カラーが、脆弱要素の破損の後、首部上の閉鎖キャップの最初の弛め動作の間、固定裾部と不正開封防止リングとの間に少なくとも部分的に延びるように構成されることを特徴とする。
【０００８】
保持カラーのこの種の構成は、本発明に係る閉鎖システムを備える容器が最初に開かれる間、引っ掛けハウジングに対する少なくとも１つの可撓性保持要素の挿入及び保持カラーと少なくとも１つの保持要素との間の引っ掛かりを確実にすることを可能にする。この種の引っ掛かりは、不正開封防止リングの偶然の分離のいかなる危険度をも回避し、そのことで、首部上の不正開封防止リングの信頼性の高い保持を確実にする。
【０００９】
さらにまた、固定裾部と不正開封防止リングとの間の保持カラーのこの種の拡張は、脆弱要素の破損の後、首部上の閉鎖キャップの最初の弛め動作の間、本発明に係る閉鎖システムを備えている容器の、不正開封の簡単なチェックを確実にする。
【００１０】
閉鎖システムは、以下の特徴の１つ以上を、単独で又は複合でさらに有してもよい。
【００１１】
本発明の１実施形態によれば、不正開封防止リングは、首部に載置される。
【００１２】
本発明の１実施形態によれば、保持カラーが、脆弱要素の破損の後、首部上の閉鎖キャップの最初の弛め動作まで、少なくとも環状の引っ掛けハウジングの境界を定めるように、首部及び不正開封防止リングが構成されている。
【００１３】
本発明の１実施形態によれば、保持カラーは、保持カラーが首部の拡張軸に対して実質的に放射状に延びる初期位置と、保持カラーが曲がって環状の引っ掛けハウジングの境界を定める保持位置との間で、例えば弾性的に又は可塑的に変形可能である。
【００１４】
本発明の１実施形態によれば、不正開封防止リングは、少なくとも脆弱要素の破損の手前まで、そして、例えば少なくとも脆弱要素の破損の後、首部上の閉鎖キャップの最初の弛め動作まで、保持位置の保持カラーを変形させて保持するように構成されている。
【００１５】
本発明の１実施形態によれば、不正開封防止リングは、脆弱要素の破損の手前まで、そして、例えば、少なくとも脆弱要素の破損の後、首部上の閉鎖キャップの最初の弛め動作まで、少なくとも保持カラー周辺で延びるように構成されている。
【００１６】
本発明の１実施形態によれば、保持カラーは、引っ掛けハウジングの境界を定めるように構成された引っ掛け面を有する。好ましくは、引っ掛け面は、少なくとも脆弱要素の破損の手前まで曲がっている。
【００１７】
本発明の１実施形態によれば、少なくとも１つの可撓性保持要素は、首部の外面と協同するように構成される第１表面と、第１表面の反対側で保持カラーの引っ掛け面と協同するように構成された第２表面とを有する。
【００１８】
本発明の１実施形態によれば、保持カラーの周縁エッジは、閉鎖キャップが首部上に固定されているとき、少なくとも脆弱要素の破損の手前まで、環状の引っ掛けハウジングに導く挿入開口の境界を定めるように構成され、少なくとも１つの可撓性保持要素が挿入開口を通って延びるように構成されている。
【００１９】
本発明の１実施形態によれば、挿入開口は、閉鎖キャップの反対側を向く。
【００２０】
本発明の１実施形態によれば、不正開封防止リングは、脆弱要素によって固定裾部に接続している環状部分を有し、保持カラーは、環状部分の内径よりも大きい外径を有する。
【００２１】
環状部分は、閉鎖キャップが首部に固定されているとき、少なくとも脆弱要素の破損の手前まで、保持カラー周辺に延びるように構成されるのが好ましい。
【００２２】
本発明の１実施形態によれば、保持カラーの外縁エッジは、脆弱要素の破損の手前まで少なくとも環状部分の内面に対向する。
【００２３】
本発明の１実施形態によれば、閉鎖キャップが首部に固定されているとき、少なくとも脆弱要素の破損の手前まで、保持カラーが、不正開封防止リングに対する半径方向の力を掛けるように構成されている。
【００２４】
本発明の１実施形態によれば、首部は、脆弱要素の破損の後、不正開封防止リングを支持できる停止面を有し、初期位置の保持カラーと停止面との間の距離は、不正開封防止リングの幅よりも大きい。
【００２５】
本発明の１実施形態によれば、少なくとも１つの可撓性保持要素は、環状の引っ掛けハウジングの範囲内で支持され得る終端部を有する。
【００２６】
本発明の１実施形態によれば、少なくとも１つの可撓性保持要素は、不正開封防止リングの環状部分から延びる。
【００２７】
本発明の１実施形態によれば、保持カラーの半径方向寸法は、保持カラーの軸方向寸法よりも大きい。言い換えれば、保持カラーの幅は、保持カラーの厚みよりも大きい。
【００２８】
本発明の１実施形態によれば、閉鎖キャップが首部に固定されているとき、少なくとも脆弱要素の破損の手前まで、保持カラーの外縁エッジが保持カラーと首部の外面との間の接合領域に対して軸方向に移動するように、保持カラーは構成されている。
【００２９】
本発明の１実施形態によれば、少なくとも１つの可撓性保持要素は、可撓性保持フラップ部である。
【００３０】
本発明の１実施形態によれば、不正開封防止リングは、その内周部に分布される複数の可撓性保持要素を有する。好ましくは、保持要素は、不正開封防止リングの内周部に均一に分布される。
【００３１】
本発明の１実施形態によれば、不正開封防止リングは固定裾部に向かって延びる少なくとも１つの第１の駆動要素を有し、閉鎖キャップは不正開封防止リングに向かって延びる少なくとも１つの第２の駆動要素を有する。少なくとも１つの第２の駆動要素は、脆弱要素の破損の後、首部上の閉鎖キャップの最初の弛め動作の間、固定裾部から間隔をあけて配置される不正開封防止リングを移動させ、固定裾部と不正開封防止リングとの間に少なくとも１つの開口点検スペースを形成するように、少なくとも１つの第１の駆動要素と協同するように構成されている。
【００３２】
本発明の１実施形態によれば、少なくとも１つの第１の駆動要素は、不正開封防止リングの環状部分の上部エッジから延び、少なくとも１つの第２の駆動要素は、固定裾部の下側エッジから延びる。
【００３３】
本発明の１実施形態によれば、少なくとも１つの第１の駆動要素は、第１のカム面を有し、少なくとも１つの第２の駆動要素は、脆弱要素の破損の後、首部上の閉鎖キャップの最初の弛め動作の間、固定裾部から間隔をあけて配置される不正開封防止リングに付勢するために第１のカム面と協同するように構成される第２のカム面を有する。
【００３４】
本発明の１実施形態によれば、第２のカム面は、脆弱要素の破損の後、首部上の閉鎖キャップの最初の弛め動作の間、不正開封防止リングの環状部分が固定裾部から間隔をあけて配置されるように付勢するために、第１のカム面と協同するように構成されている。
【００３５】
本発明の１実施形態によれば、第２のカム面は、第１のカム面と実質的に相補的である。
【００３６】
本発明の１実施形態によれば、少なくとも１つの第１の駆動要素及び少なくとも１つの第２の駆動要素の各々は、全体として波形又は波動のような形状を有する。
【００３７】
本発明の１実施形態によれば、不正開封防止リングは環状部分の上部エッジに沿って分布される複数の第１の駆動要素を有し、閉鎖キャップは固定裾部の下側エッジに沿って分布される複数の第２の駆動要素を有する。
【００３８】
本発明の１実施形態によれば、保持カラーは、少なくとも１つの開口チェックスペースにおいて少なくとも部分的に延びるように構成されている。
【００３９】
本発明の１実施形態によれば、閉鎖キャップは、首部の内面と協同するための環状のシールリップを有する。
【００４０】
本発明の１実施形態によれば、首部分は、少なくとも１つの外側固定要素を備え、固定裾部は、首部に設けられた少なくとも１つの外側固定要素と協同するように構成された少なくとも１つの内側固定要素を備えている。
【００４１】
本発明の１実施形態によれば、少なくとも１つの外側固定要素は、外側スレッドである。
【００４２】
本発明の１実施形態によれば、少なくとも１つの内側固定要素は、内側スレッドである。
【００４３】
本発明の１実施形態によれば、不正開封防止リング、及びより詳しくは、環状部分は、固定裾部の拡張部に位置する。
【００４４】
本発明の１実施形態によれば、少なくとも１つの保持要素は、例えば弾性的に又は可塑的に、少なくとも１つの保持要素が閉鎖キャップの反対側を向く初期位置と、少なくとも１つの保持要素が閉鎖キャップの方を向く引っ掛け位置との間で変形可能である。
【００４５】
本発明の１実施形態によれば、首要素は、首部に固着され、容器に固定されるための固定部分を有する。
【００４６】
本発明の１実施形態によれば、保持カラーは、少なくとも１つの外側固定要素と固定部分との間に配置されている。
【００４７】
本発明の１実施形態によれば、挿入開口は、固定部分の方を向いている。
【００４８】
本発明の１実施形態によれば、保持カラーは、閉鎖キャップが首部上に固定されているとき、少なくとも脆弱要素の破損の手前まで、実質的に傘のような形状を有する。
【００４９】
本発明の１実施形態によれば、閉鎖キャップ及び不正開封防止リングは、射出成形によって製造される。
【００５０】
本発明の１実施形態によれば、首部は、例えば環状停止リブのような、環状停止要素を含み、それに対し、少なくとも１つの可撓性保持要素が、最初の閉鎖キャップの弛め作業の間に当接するように構成されている。これらの配置は、最初の閉鎖キャップの弛め作業の間、不正開封防止リングが外れる方向の移動（それは保持カラーの柔軟性のため、この種の停止要素の非存在下でより大きい）を制限することを可能にし、したがって、脆弱要素の破損の手前まで少なくとも閉鎖システムの封止を確実にする。
【００５１】
本発明の１実施形態によれば、環状停止要素は、環状の引っ掛けハウジングに達するように構成されている。
【００５２】
本発明の１実施形態によれば、環状停止要素は、保持カラーと首部の外面との間の接合領域の付近に配置されている。
【００５３】
本発明の１実施形態によれば、環状停止要素は、首部の外面上に形成されている。
【図面の簡単な説明】
【００５４】
【図１】図１は、本発明の第１実施形態に係る閉鎖システムを示す斜視図である。
【図２】図２は、組立状態の図１の閉鎖システムを示す斜視図である。
【図３】図３は、図１の閉鎖システムの不正開封防止リング及び閉鎖キャップを下方から見た斜視図である。
【図４】図４は、組立状態の図１の閉鎖システムを切断して示す斜視図である。
【図５】図５は、図４の詳細拡大図である。
【図６】図６は、閉鎖キャップ及び不正開封防止リングを接続する脆弱要素が破損する前のネジを弛める状態の閉鎖キャップを示す、図１の閉鎖システムを部分的に切断した斜視図である。
【図７】図７は、弛め作業の間で且つ脆弱要素の破損の後の閉鎖キャップを示す、図１の閉鎖システムを部分的に切断して示す斜視図である。
【図８】図８は、閉鎖システムの首部において閉鎖キャップのネジを弛める状態を示す、図１の閉鎖システムを示す斜視図である。
【図９】図９は、図８に示されるものと同じ位置の不正開封防止リングを示す、図１の閉鎖システムを部分的に切断した斜視図である。
【図１０】図１０は、閉鎖システムの首部に対して閉鎖キャップのネジを弛める状態を示す、本発明の第２実施形態に係る閉鎖システムの斜視図である。
【発明を実施するための形態】
【００５５】
本発明は、非限定的な実施形態として、閉鎖システムの２つの実施形態を示す添付の概要図を参照する以下の説明によってよりよく理解される。
【００５６】
図１〜図９は、本発明の第１実施形態に従って、例えば、包装レンガ（brique）又は包装カートン（berlingot）である容器の閉鎖システム２を示す。
【００５７】
閉鎖システム２には、容器に固定される首要素３が設けられている。首要素３は、樹脂材料によって一体に射出成形されているのが望ましい。
【００５８】
特に図１及び図４に示されるように、例えば、首要素３は、拡張軸Ａに沿って延びる管状の首部４と、首部４に固着され、超音波圧接によって容器に固定される固定部分５とを有する。図示した実施形態によれば、固定部分５は、環状で首部４の拡張軸Ａに対して実質的に放射状に延びる。
【００５９】
首部４は、その外部表面に、外側スレッド６及び保持カラー７を備える。保持カラー７は、環状且つ可撓性で、外側スレッド６と固定部分５との間に配置されるのが望ましい。保持カラー７は、外側スレッド６に対向する第１の環状面８と、この第１の環状面８と反対側にあると共に固定部分５向きの第２の環状面９とを備えている。
【００６０】
より詳しくは、保持カラー７は、弾性的に又は可塑的に、保持カラー７が首部４の拡張軸Ａに対して放射状に延びる休止位置と呼ばれる初期位置（図１に示される）と、保持カラー７が曲がっており、第２の環状面９が環状の引っ掛けハウジング１１の境界を定める保持位置（図４に示される）との間で変形可能である。
【００６１】
図４に示すように、保持カラー７がその保持位置にあるときに、保持カラー７の外縁エッジ１２は、保持カラー７と首部４の外面との間の接合領域から軸方向に（固定部分５の方へ）移動させられる。さらに、保持カラー７がその保持位置にあるときに、外縁エッジ１２は、引っ掛けハウジング１１において延び、固定部分５の方へ向かう挿入開口１３の境界を定める。
【００６２】
また、閉鎖システム２には、首部４に着脱自在に固定される閉鎖キャップ１４が設けられている。閉鎖キャップ１４は、閉鎖壁１５及び閉鎖壁１５から延びる固定裾部１６を含む。固定裾部１６は、その内面に、首部４の外側スレッド６と協同するように構成された内側スレッド１７を含む。
【００６３】
また、閉鎖キャップ１４は、首部４の内面と協同する環状のシールリップ１８を含む。
【００６４】
さらに、閉鎖システム２には、固定裾部１６の延長部に位置する環状部分２１を含む不正開封防止リング１９が設けられている。環状部分２１は、環状部分２１の上部エッジに沿って分布された複数の脆弱橋（脆弱要素２２）によって、固定裾部１６に接続されている。閉鎖キャップ１４、不正開封防止リング１９及び脆弱橋（脆弱要素２２）は、射出成形によって同時に（一体に）成形されるのが望ましい。
【００６５】
図示した実施形態によれば、環状部分２１は、保持カラー７の外径よりも小さい内径を有する。
【００６６】
不正開封防止リング１９にも、その環状部分２１の内面上に円周上に分布されて保持カラー７の第２の環状面９と協同するように構成される、複数の可撓性保持フラップ部（可撓性保持要素）２３が設けられている。各可撓性保持フラップ部２３は、各可撓性保持フラップ部２３が閉鎖キャップ１４の反対を向く休止位置（図３に示す）と呼ばれる初期位置と、各可撓性保持フラップ部２３が閉鎖キャップ１４の方を向く引っ掛け位置（図４を見る）との間で弾性的に又は可塑的に変形可能であり、挿入開口１３を通って延び、引っ掛けハウジング１１において少なくとも部分的に支持され得る。より詳しくは、各可撓性保持フラップ部２３は、使用位置において、保持カラー７を引っ掛けることができる。
【００６７】
不正開封防止リング１９及び保持カラー７は、不正開封防止リング１９が首部４に載置されるときに、一方では環状部分２１が保持カラー７周辺まで延びて保持カラー７を保持位置に変形させて保つように、他方では可撓性保持フラップ部２３が引っ掛け位置に変形するように構成されている。このように、使用状況下で、保持カラー７は、不正開封防止リング１９に対して、特に環状部分２１の内面に対して半径方向の力を加える。
【００６８】
図示した実施形態によると、不正開封防止リング１９は、環状部分２１の上部エッジから且つ固定裾部１６に向かって延びる少なくとも１つの駆動要素２４をさらに備え、閉鎖キャップ１４は、固定裾部１６の下側エッジから且つ不正開封防止リング１９に向かって延びる少なくとも１つの駆動要素２５をさらに備えている。
【００６９】
図示した実施形態によれば、脆弱要素２２の破損及び閉鎖システム２を備えた容器の最初の開口動作の後の、首部４上の閉鎖キャップ１４の最初の弛め動作の間、不正開封防止リング１９の環状部分２１を固定裾部１６及び保持カラー７（図８参照）から間隔をあけて配置されるように移動させるために、駆動要素２４はカム面２６を有し、駆動要素２５は、カム面２６と実質的に相補的でカム面２６と協同するように構成されるカム面２７を有する。
【００７０】
図示した実施形態によれば、各駆動要素２４，２５は、全体として波形状又は波動のような形状を有する。
【００７１】
不正開封防止リング１９は、環状部分２１の上部エッジに沿って分布される複数の駆動要素２４を含んでもよく、閉鎖キャップ１４は、固定裾部１６の下側エッジに沿って分布される複数の駆動要素２５を含んでもよい。
【００７２】
ここで、本発明に係る閉鎖システム２の動作は、特に図４〜図９に記載されている。
【００７３】
図４に示すように、閉鎖キャップ１４が首部４に固定され、不正開封防止リング１９が脆弱橋（脆弱要素２２）によって固定裾部１６に接続されているときに、可撓性保持フラップ部２３は、引っ掛けハウジング１１から遠く離れている。
【００７４】
ユーザが閉鎖キャップ１４をネジが弛む方向に回転させるときに、閉鎖キャップ１４に接続された不正開封防止リング１９は、引っ掛けハウジング１１に入り込み、保持カラー７の図６で示す引っ掛け面と呼ばれる第２の環状面９を圧迫し、保持カラー７に向かう可撓性保持フラップ部２３までの螺旋状の動きに従って閉鎖キャップ１４によって駆動される。
【００７５】
その後、図７に示すように、ネジが弛む方向の閉鎖キャップ１４の回転がさらに行われると、脆弱橋（脆弱要素２２）の破損、すなわち、不正開封防止リング１９及び固定裾部１６の分離が生じる。環状部分２１の内面に対して保持カラー７によって加えられる半径方向の力のため、不正開封防止リング１９が、図７に示される、その位置において保持される点に留意する必要がある。
【００７６】
閉鎖キャップ１４が首部４に再び嵌め込まれ、ねじり方向に回転されるときに、駆動要素２５のカム面２７が駆動要素２４のカム面２６と協同し、不正開封防止リング１９を固定部分５の方へ且つ固定裾部１６から離れた位置に移動させるまで、固定裾部１６は次第に不正開封防止リング１９に近付く。閉鎖キャップ１４のねじ込み終了後に、不正開封防止リング１９は図８に示す位置に達し、少なくとも１つの開口チェックスペース２８が固定裾部１６と不正開封防止リング１９との間に形成される。駆動要素２４，２５の構成は、このように、容易に、本発明に係る閉鎖システム２を備えた容器の、いかなる不正開封の点検をも可能にする。
【００７７】
環状部分２１の内面に対し、保持カラー７によって加えられる半径方向の力のため、不正開封防止リング１９が、図８に示す、その位置において保持される点に留意する必要がある。
【００７８】
好ましくは、首部４は、首部４の外部表面上で且つ保持カラー７と首部４の外面との間の接合領域の近くに形成され、引っ掛けハウジング１１に達するように構成される、環状停止要素２９（例えば環状停止リブ）をさらに含んでもよい。本発明の、この種の実施形態によれば、可撓性保持フラップ部２３、特に可撓性保持フラップ部２３の自由端は、最初の閉鎖キャップ１４の弛め作業の間、環状停止要素２９に対して当接するように構成されている。これらの配置は、最初の閉鎖キャップ１４の弛め作業の間、保持カラー７の柔軟性のため、この種の停止要素の非存在下でより大きくなる、不正開封防止リング１９が外れる方向の移動量を制限し、このように、特にシールリップ１８のレベルで、少なくとも脆弱要素２２の破損の手前まで閉鎖システムの封止を確実にすることを可能にする。
【００７９】
図１０は、基本的に図１〜図９で示す第１の実施形態と異なる、本発明の第２実施形態に係る閉鎖システム２を示す。脆弱要素２２の破損の後の首部４上の閉鎖キャップ１４の最初の弛め動作の間、特にカム面２６，２７の協調によって誘導される固定裾部１６から間隔をあけるように不正開封防止リング１９が外れた後、保持カラー７が弾性的に変形し、固定裾部１６と不正開封防止リング１９との間に少なくとも部分的に延びるように構成されている。より詳しくは、保持カラー７は、首部４上の閉鎖キャップ１４の最初の弛め動作の間、少なくとも１つの開口チェックスペース２８に達するように構成されている。これらの配置は、本発明の第２実施形態に係る閉鎖システム２を備える容器の、不正開封の簡単なチェックを確実にすることを可能にする。
【００８０】
本発明の第２実施形態によれば、保持カラー７は、少なくとも脆弱要素２２の破損の手前まで、そして、特に脆弱要素２２の破損の後の首部４上の閉鎖キャップ１４の最初の弛め動作まで、少なくとも環状の引っ掛けハウジング１１の境界を定めるように構成され、不正開封防止リング１９は、少なくとも脆弱要素２２の破損の手前まで、そして、特に脆弱要素２２の破損の後の首部４上の閉鎖キャップ１４の最初の弛め動作まで、その保持位置の保持カラー７を変形させて保持するように構成されている。
【００８１】
首部４上の閉鎖キャップ１４の最初の弛め動作の後、保持カラー７の一部は、まだ不正開封防止リング１９に囲まれていてもよく、これにより、不正開封防止リング１９を適所に位置する状態に保つために、不正開封防止リング１９上に荷重を加えることができる。
【００８２】
もちろん、本発明は、例として上述された、この閉鎖システムの唯一の実施形態に限られておらず、その全ての変形例を含む。
【図１】
2018538209.tif 000003
【図２】
2018538209.tif 000004
【図３】
2018538209.tif 000005
【図４】
2018538209.tif 000006
【図５】
2018538209.tif 000007
【図６】
2018538209.tif 000008
【図７】
2018538209.tif 000009
【図８】
2018538209.tif 000010
【図９】
2018538209.tif 000011
【図１０】
2018538209.tif 000012
【国際調査報告】
2018538209.tif 000013
2018538209.tif 000014
2018538209.tif 000015
2018538209.tif 000016
2018538209.tif 000017
2018538209.tif 000018